(57)【要約】 【課題】  本発明に係る検査方法は、ネットワークに混入する雑音、遅延など音質劣化要因を、通話に影響を与えずにネットワーク運用中であっても検出可能とすることを目的とする。【解決手段】  本発明に係る検査方法は、デジタル信号を伝送する音声通信システムの通話品質を検査する検査装置の検査方法において、該デジタル信号の特徴量に基づき、音声信号か非音声信号かを判別する分析手順と、判別した該非音声信号の一部を特定信号に置換する置換手順と、該非音声信号に該特定信号があるか否かを判別する検査手順とからなることを特徴とする。 【選択図】  図１
2009022407.tif 000002
【特許請求の範囲】
【請求項１】
デジタル信号を伝送する音声通信システムの通話品質を検査する検査装置の検査方法において、
該デジタル信号の特徴量に基づき、音声信号か非音声信号かを判別する分析手順と、
判別した該非音声信号の一部を特定信号に置換する置換手順と、
該非音声信号に該特定信号があるか否かを判別する検査手順と、
からなることを特徴とする検査方法。
【請求項２】
請求項１に記載の検査方法において、
該分析手順は、時系列順に取得する該デジタル信号を一定のフレーム単位ごとに取得し、該フレームが音声フレームか非音声フレームであるかを判別することを特徴とする検査方法。
【請求項３】
請求項２に記載の検査方法において、
該置換手順は、該非音声フレームの一部を該特定信号の組み合わせからなる特定パターンに置換することを特徴とする検査方法。
【請求項４】
請求項３に記載の検査方法において、
該検査手順は、該特定パターンを検出することを特徴とする検査方法。
【請求項５】
請求項４に記載の検査方法において、
該検査手順における該特定パターンの検出結果に基づいて、該デジタル信号で構成される音声信号の劣化を特定する検知手順をさらに有することを特徴とする検査方法。
【請求項６】
請求項４に記載の検査方法において、
該分析手順は、該非音声フレームにおける背景雑音の振幅レベルを算出することを特徴とする検査方法。
【請求項７】
請求項６に記載の検査方法において、
該置換手順は、該背景雑音の振幅レベルを参照して、該非音声フレームの一部を該特定パターンに置換することを特徴とする検査方法。
【請求項８】
請求項７に記載の検査方法において、
該置換手順は、該非音声フレームにおける該背景雑音の振幅レベル以下の範囲に属する一部を該特定パターンに置換することを特徴とする検査方法。
【請求項９】
請求項８に記載の検査方法において、
該検査手順は、該非音声フレームにおける該背景雑音の振幅レベル以下の範囲に該特定パターンがあるか否かを判別することを特徴とする検査方法。
【請求項１０】
請求項９に記載の検査方法において、
該置換手順は、該非音声フレームよりも過去に該検査システムが取得した他の非音声フレームにおける該特定パターンの置換位置と関連付けて、該非音声フレームの一部を該特定パターンに置換することを特徴とする検査方法。
【請求項１１】
データを送受信する音声通信システムの通話品質を検査する検査装置の検査方法において、
受信したデータの特徴量に基づき、非音声信号を判別する分析手順と、
該非音声信号の一部が特定信号であるか否かを判別する検査手順と、
からなることを特徴とする検査方法。
【請求項１２】
データを送受信する音声通信システムの通話品質を検査する検査装置の検査方法において、
受信したデータの特徴量に基づき、非音声信号を判別する分析手順と、
該非音声信号の一部を特定信号に置換する置換手順と、
置換した非音声信号を送信する送信手順と、
からなることを特徴とする検査方法。
【発明の詳細な説明】
【技術分野】
【０００１】
本発明はパケット交換網における音質劣化の検査に関する。
【背景技術】
【０００２】
ネットワークは従来の回線交換網からパケット交換網への移行が進んでおり、次世代ネットワーク（ＮＧＮ：Ｎｅｘｔ  Ｇｅｎｅｒａｔｉｏｎ  Ｎｅｔｗｏｒｋ）に代表される計画が進んでいる。この次世代ネットワークは従来の回線交換網と同等の通話品質などを確保しながら、ネットワークを用いた音声通信を実現するというものである。【０００３】
そのため、NGNに代表される次世代ネットワーク網において通話品質の把握が益々重要となり、ネットワークの途中経路や端末における通話品質を評価できる計測技術が求められている。つまり伝送中のデータから通話品質を推定できる音声品質劣化の検査技術が必要である。とくに運用中にデータの分析を行う技術、いわゆるアクティブ計測技術が求められている。【０００４】
音声品質の推定を行う技術として以下の特許文献がある。
【特許文献１】特開２０００−３３２７５８号公報
【特許文献２】特開平７−２５０１０７号公報
【発明の開示】
【発明が解決しようとする課題】
【０００５】
本発明に係る検査方法は、ネットワークに混入する雑音など音質劣化要因を、通話に影響を与えずにネットワーク運用中であっても検出可能とすることを目的とする。
【課題を解決するための手段】
【０００６】
本実施例に係る検査方法は、デジタル信号を伝送する音声通信システムの通話品質を検査する検査装置の検査方法において、該デジタル信号の特徴量に基づき、音声信号か非音声信号かを判別する分析手順と、判別した該非音声信号の一部を特定信号に置換する置換手順と、該非音声信号に該特定信号があるか否かを判別する検査手順とからなることを特徴とする。【０００７】
また本実施例に係る検査方法は、該分析手順が時系列順に取得する該デジタル信号を一定のフレーム単位ごとに取得し、該フレームが音声フレームか非音声フレームであるかを判別することを特徴とする。【０００８】
また本実施例に係る検査方法は、該置換手順が該非音声フレームの一部を該特定信号の組み合わせからなる特定パターンに置換することを特徴とする。【０００９】
また本実施例に係る検査方法は、該検査手順が該特定パターンを検出することを特徴とする。【００１０】
また本実施例に係る検査方法は、該検査手順における該特定パターンの検出結果に基づいて、該デジタル信号で構成される音声信号の劣化を特定する検知手順をさらに有することを特徴とする。【００１１】
また本実施例に係る検査方法は、該分析手順が該非音声フレームにおける背景雑音の振幅レベルを算出することを特徴とする。【００１２】
また本実施例に係る検査方法は、該置換手順が該背景雑音の振幅レベルを参照して、該非音声フレームの一部を該特定パターンに置換することを特徴とする。【００１３】
また本実施例に係る検査方法は、該置換手順が該非音声フレームにおける該背景雑音の振幅レベル以下の範囲に属する一部を該特定パターンに置換することを特徴とする。
また本実施例に係る検査方法は、データを送受信する音声通信システムの通話品質を検査する検査装置の検査方法において、受信したデータの特徴量に基づき、非音声信号を判別する分析手順と、該非音声信号の一部が特定信号であるか否かを判別する検査手順とからなることを特徴とする。【００１４】
また本実施例に係る検査方法は、データを送受信する音声通信システムの通話品質を検査する検査装置の検査方法において、受信したデータの特徴量に基づき、非音声信号を判別する分析手順と、該非音声信号の一部を特定信号に置換する置換手順と、置換した非音声信号を送信する送信手順とからなることを特徴とする。
【発明の効果】
【００１５】
本発明に係る検査方法は、背景ノイズ以下の非音声コードを特定のコードに置換し、各ノードでこのコード変化を検査することによって、音質劣化要因を通話に影響を与えずにネットワーク運用中であっても検出することができる。
【図面の簡単な説明】
【００１６】
【図１】本実施例に係る音質劣化検査を行うネットワークシステム１００である。
【図２】本実施例に係るアナログ信号２００の概略図である。
【図３】本実施例に係るコード３００の概略図である。
【図４】本実施例に係るパターン置換部１０１の構成図である。
【図５】本実施例に係るパターン検査部１０２の構成図である。
【図６】本実施例に係るパターン置換部１０１が行う処理のフローチャートである。
【図７】本実施例に係るパターン検査部１０２が行う処理のフローチャートである。
【図８】本実施例に係るパターン置換部８００の構成図である。
【図９】本実施例に係る検査部９００の構成図である。
【図１０】本実施例に係るパターン検査部９００が行う処理のフローチャートである。
【符号の説明】
【００１７】
１００…ネットワークシステム
１０１…パターン置換部
１０２…パターン検査部
１０３…パターン検査部
１０４…検知判定部
１０５…端末
１０６…ＴＡ
１０７…ＣＥ
１０８…ＧＷ
１０９…ＧＷ
１１０…ＴＡ
１１１…端末
１１２…端末
４０１…音声分析部
４０２…対象フレーム選択部
４０３…特定パターン置換部
４０４…検出用パターン格納部
５０１…音声分析部
５０２…対象フレーム選択部
５０３…パターン検出部
５０４…検出用パターン格納部
８００…パターン置換部
８０１…音声分析部
８０２…対象フレーム選択部
８０３…特定パターン置換部
８０４…検出用パターン格納部
８０５…パターン位置決定部
９００…パターン検査部
９０１…音声分析部
９０２…対象フレーム選択部
９０３…パターン検出部
９０４…検出用パターン格納部
９０５…レベル推定部
【発明を実施するための最良の形態】
【００１８】
図１は本実施例に係る音質劣化検査を行うネットワークシステム１００である。本実施例ではネットワークシステム１００における音質劣化要因の検査について説明する。本実施例における検査方法は、ネットワークを実運用しながら、ネットワークシステム１００の品質管理対象領域１１５で混入するノイズなど、ネットワークシステム１００で伝送されるデータ自体が変化する音質劣化要因を検出することができる。なおパターン置換部１０１、パターン検査部１０２、１０３の詳細な動作については図４、図５において説明する。【００１９】
［ネットワークシステム１００の構成］
ネットワークシステム１００は、パターン置換部１０１、パターン検査部１０２、１０３、検知判定部１０４、ターミナルアダプタ（ＴＡ）１０６、コアエッジ（ＣＥ）１０７、ゲートウェイ１０８、１０９、ターミナルアダプタ（ＴＡ）１１０、端末１１１、１１２から構成される。本実施例では端末１０５が宅内網１１２、アクセス網１１３、コア網１１４、公衆網１１６を介して端末１１１、１１２と音声通信を行う。具体的にネットワークシステム１００は、端末１０５がインタフェースとして受取る音声信号を符号化して、IPパケットなどの形態で端末１１１、１１２へリアルタイム伝送するネットワークシステム（ＶｏＩＰ：Ｖｏｉｃｅ  ｏｖｅｒ  Ｉｎｔｅｒｎｅｔ  Ｐｒｏｔｏｃｏｌ）である。【００２０】
ネットワークシステム１００は、パターン置換部１０１とパターン検査部１０２、１０３を用いて品質理管理対象領域１１５（アクセス網１１３、コア網１１４）の障害を検知するネットワークシステムである。本実施例におけるネットワークシステム１００は、ネットワーク内の品質管理対象領域１１５で混入するノイズによる音質劣化を検出することができる。さらに本実施例におけるネットワークシステム１００は、ネットワーク内の品質管理対象領域１１５でデータの圧縮フォーマットを変換する符号変換による音質劣化も検出することができる。【００２１】
パターン置換部１０１が品質管理対象領域１１５に送出する非音声コードの一部を特定パターンに置換する。そしてパターン検査部１０２、１０３が品質管理対象領域１１５内で特定パターンの検出を行う。検知判定部１０４が特定パターン検出の有無から音質劣化要因の混入を検知する。本実施例における特定パターンは、パターン置換部１０１とパターン検査部１０２、１０３が互いに保持する符号パターンであって、予め定めた符号パターンである。また特定パターンは、複数の符号系列の同じ重みを持つ符号列である。【００２２】
これによりネットワークの実運用中でも、ネットワークシステム１００はネットワークシステム１００内の品質管理対象領域１１５を流れるデータの音質劣化要因を検査することができる。本実施における検査方法は、従来のデータの遅延、パケット損失に加えて、データ自体そのものが変化するノイズ混入による音質劣化も検出できる。【００２３】
パターン置換部１０１は、品質管理対象領域１１５（アクセス網１１３とコア網１１４）の入り口にあたるポイントであるＣＥ１０７に設置される。パターン置換部１０１は、非音声コードの一部を障害検知するための特定パターンに置換する。ここで非音声コードとは、端末１０５がインタフェースとして受取る音声信号を符号化したコードのうち、背景ノイズに該当するコードのことである。本実施例におけるコーデック技術は例えばＩＴＵ−Ｔで勧告されたＧ．７１１である。したがって端末１０５が受取るアナログの音声信号は、Ｇ．７１１に基づいて符号化される。アナログの音声信号の符号化・復号化（コーデック）は、ＴＡ１０６が行う。また端末１０５、１１１、１１２がアナログの音声信号をデジタルの音声信号に符号化・復号化する構成でもよい。ＩＴＵ−Ｔで勧告されたＧ．７１１に基づく符号化技術は、ＰＣＭ（パルス符号変調）方式によって電話線上で６４ｋｂｐｓの伝送速度を実現する方式である。具体的にはアナログ信号を８ｋＨｚでサンプリング（標本化）し、各サンプル（標本）を８ビットで表すものである。【００２４】
パターン置換部１０１は、ネットワークシステム１００が伝送するコード３００を２０ｍｓｅｃ、１６０サンプルを１フレームとしてＣＥ１０７を介して取り込む。そしてパターン置換部１０１はコード３００の音声特徴量を分析し、非音声フレームを検出する。音声特徴量は、コード３００をフレームごとに音声フレーム、非音声フレームに分類する情報である。具体的には音声特徴量は零交差数と振幅レベルである。零交差数は一定時間内で音声波形がゼロレベルと交差する回数である。振幅レベルは各データ３１０〜３１８における一定時間内の振幅平均値のことである。パターン置換部１０１は、一定時間内において、データの振幅レベルが所定値以上で、かつ零交差数が所定数以下になったフレームを音声フレームと判別する。そしてパターン置換部１０１はそれ以外のフレームを非音声フレームと判別する。【００２５】
またパターン置換部１０１は非音声フレームと判定したフレームの特徴量分析を行う。パターン置換部１０１は、該特徴量分析より背景ノイズレベルを検出する。そしてパターン置換部１０１は、検出した非音声フレームにおける背景ノイズレベル以下又は背景ノイズレベル程度のレベル範囲の一部を特定パターンに置換する。ここでレベルとは、アナログ信号をＧ．７１１により１サンプルを８ビットのデータを符号化したときの振幅値のことである。８ビットデータの下位の桁ほど振幅値の小さい部分を示し、上位桁になるに従い振幅値の大きい部分を示す。【００２６】
パターン置換部１０１は無音フレームに対して、特定パターンの置換処理は行わない。無音フレームとは、フレームデータがオール０もしくはこれに準ずる所定の閾値以下の有音を示すビットしか含まれていないフレームである。これは無音フレームの一部を特定パターンと置換すると、主観音質に大きな影響を及ぼすからである。そのため無音フレームの一部を特定パターンに置換しないことにより、マスキング効果（Ｗｅｇｅｌ，  Ｒ．Ｌ，  ａｎｄ  Ｌａｎｅ，  Ｃ．Ｅ  ：Ｐｈｙｓ．  Ｒｅｖ．，  ２３，  ｐｐ．  ２６６−２８５（１９２４）参照）を用いたノイズの混入を防ぐことができる。【００２７】
本実施例に係る検査方法では、パターン置換部１０１が非音声コードの一部を特定パターンに置換する。そのためネットワークシステム１００を流れるデータ量は増えない。したがって本実施例における検査方法では、音質劣化の検査を行うことによるネットワークのトラフィック増加を除去することができる。つまり本実施例における検査方法はネットワークのトラフィックの増加やそれによる輻輳などの悪影響を起こすことなく音質劣化を検査することができる。【００２８】
パターン検査部１０２、１０３はＧＷ１０８、１０９に設置される。パターン検査部１０２、１０３はそれぞれ、ネットワークシステム１００が伝送するコード３００を２０ｍｓｅｃ、１６０サンプルを１フレームとしてＧＷ１０８、１０９を介して取り込む。パターン検査部１０２、１０３は、非音声フレームを検査対象フレームとして選択する。これはパターン置換部１０１が、非音声フレームに対して、特定パターンの置換処理をするからである。パターン検査部１０２、１０３は、非音声フレームと判定したフレームの特徴量分析より背景ノイズレベルを検出する。パターン検査部１０２、１０３は、背景ノイズレベルを参照し、背景ノイズレベル以下又は背景ノイズレベル程度の対象フレームの中に特定パターンがあるか否か検査する。これによりパターン検査部１０２、１０３は、効率的に特定パターンの検出を行うことができる。つまり特定パターンの置換位置は、対象フレームの背景ノイズレベル以下のところのためである。
そしてパターン検査部１０２、１０３は、特定パターンの有無を示す有無情報を検知判定部１０４に送信する。検知判定部１０４は、有無情報から障害の検知、障害発生箇所の推定を行う。具体的には検知判定部１０４は、パターン置換部１０１が置換処理をした非音声フレームに特定パターンがある場合には、音質劣化がないと判定する。一方、検知判定部１０４は、パターン置換部１０１が置換処理をした非音声フレームに特定パターンがない場合には、音質劣化があると判定する。これは検知判定部１０４が、あらかじめ保持する置換処理した非音声フレームの情報と有無情報を比較することによって、判定することができる。つまり特定パターンがあるべき非音声フレームの有無情報が「特定パターン無し」の場合は、検知判定部１０４は音質劣化があったと判定する。これより検知判定部１０４はパターン検査部１０２、１０３から特定パターン３１９の有無情報を取得し、ネットワークシステム１００内の品質管理対象領域１１５を流れるデータの音質劣化の有無を検査できる。さらにパターン検査部１０２、１０３の設置箇所の情報に基づく分析により、音質劣化の発生箇所の推定を行うこともできる。【００２９】
［アナログ信号２００、コード３００］
図２は本実施例に係るアナログ信号２００の概略図である。端末１０５はアナログ信号２００をデジタル化したコード３００を端末１１１、１１２へ送信する。アナログ信号２００をデジタル化したコード３００が音質劣化の検査を行う対象である。【００３０】
本実施例における図１のＴＡ１０６は、アナログ信号２００をコード３００に符号化する。本実施例においてＴＡ１０６は、アナログ信号２００を所望の周波数で標本化(サンプリング)する。具体的にＴＡ１０６は、アナログ信号２００を２１〜３８としてサンプリングする。そしてＴＡ１０６は、２１〜３８の振幅値を量子化することでそれぞれデータ３０１〜３１８に符号化する。そして本実施例では、本符号を１６０サンプル単位のフレームとしてネットワークに送信する。つまり送信する１フレームは１６０サンプルである。【００３１】
図３は、アナログ信号２００に対応するコード３００の概略図である。コード３００はデータ３０１〜３１８から構成される。上述したように１フレーム１６０サンプルであるが、図３には代表して１フレーム９サンプルずつ図示している（データ３０１〜３０９とデータ３１０〜３１８）。データ３０１は標本値２１の振幅値を量子化してデジタル符号化したものである。また、データ３０２は２２を符号化したものである。以下同様にしてデータ（３００＋ｎ）は（２０＋ｎ）を符号化したデータである（ｎは１〜１８の自然数である）。本実施例における符号化技術はＧ．７１１である。Ｇ．７１１はＩＴＵ―Ｔにより勧告されたアナログ音声情報の波形符号化方式である。サンプリングレート（標本化速度）は８ｋＨｚである。各データ３０１〜３１８は８ビットである。例えばサンプリング２１におけるデータ３０１は「１０１０１１１１」である。サンプリング２２におけるデータ３０２は「００１１０００１」である。サンプリング２３におけるデータ３０３は「１０１１１０００」である。以下他のデータ３０４〜３１８も８ビットのデータである。データ３０１〜３１８は８ビットのデータである。データ３０４〜３１８の１ビット目はサンプリング２１〜３８における振幅の大きい部分を表し、２ビット、３ビット目となるに従い、振幅が小さい部分を示すデータである。データ３０１〜３０９の１６０個のデータ（サンプル）が１フレームである。本実施例におけるネットワークシステム１００は、このフレーム（１６０サンプル）ごとにデータを伝送する。【００３２】
また量子化の方法は、μ―Ｌａｗ、Ａ―Ｌａｗの二種類が規定されている。μ―Ｌａｗ、Ａ―Ｌａｗはそれぞれ、ＰＣＭ（パルス符号変調）でアナログ信号をデジタル信号に変換する符号化法則の一つである。またＧ．７１１はＰＣＭ（パルス符号変調）と呼ばれる波形符号化の最も簡単な方法の一つである。８ｋＨｚの周波数で標本化した各サンプルの振幅値を２５６（８ビット）レベルの離散値で量子化する。その際、音声信号の振幅分布は指数分布を示すので、対数変換することにより各量子化ビットの出現頻度が等しくなり、歪を最小化することができる。すなわち、振幅の小さい値に対しては細かいステップ幅で、振幅の大きい値に対しては粗いステップ幅で量子化が行われる。Ｇ．７１１では対数変換規則として、μ−ｌａｗ，Ａ−ｌａｗの２種類の式が採用されている。Ｇ．７１１はいずれかの変換規則（たとえば、μ―Ｌａｗ）を用いてコード３００を生成する。【００３３】
本実施例では、パターン置換部１０１は、コード３００の中で、非音声信号２０２に相当する領域（データ３１０〜３１８を含むフレーム）の一部を特定パターン３１９に置換する。図３に示すように、特定パターン３１９は「０１０１１０・・・０１１」である。パターン置換部１０１が特定パターン３１９を置換する位置を、背景ノイズレベルによって決めることができる。例えばパターン置換部１０１は背景ノイズレベルに相当するビット重み３２０以下のところとすることができる。【００３４】
そしてパターン検査部１０２、１０３は、パターン置換部１０１で置換された特定パターン３１９を検出する。検知判定部１０４は、パターン検査部１０２、１０３から特定パターン３１９を取得し、コード３００における音質劣化の有無を判別する。
［パターン置換部１０１の構成］
図４は本実施例に係る図１のパターン置換部１０１の構成図である。以下、図４を用いて、パターン置換部１０１の動作を詳細に説明する。【００３５】
パターン置換部１０１は音声分析部４０１、対象フレーム選択部４０２、特定パターン置換部４０３、検出用パターン格納部４０４から構成されている。【００３６】
音声分析部４０１は、図３に示すコード３００を２０ｍｓｅｃ、１６０サンプルのフレーム単位で図１のＣＥ１０７より取り込む。そして音声分析部４０１は、取り込んだコード３００の音声特徴量を分析する。音声特徴量は、コード３００をフレームごとに音声フレーム、非音声フレームに分類する情報である。具体的には音声特徴量は零交差数と振幅レベルである。零交差数は一定時間内で音声波形がゼロレベルと交差する回数である。振幅レベルは各データ３１０〜３１８における一定時間内の振幅平均値のことである。音声分析部４０１は、一定時間内において、データの振幅レベルが所定値以上で、かつ零交差数が所定数以下になったフレームを音声フレームと判別する。音声分析部４０１は、音声フレームの区間の先頭や末尾において音声の立ち上がりや立ち下がりに相当する振幅の小さい部分が切れてしまうことを防ぐため、音声フレーム区間の開始時点をより前に、音声フレーム区間の終了時点をより後ろに，それぞれマージンを持たせて音声フレーム、非音声フレームを判別する。【００３７】
対象フレーム選択部４０２は、音声分析部４０１が検出した非音声フレームを特定パターン３１９の置換対象のフレームとして選択する。対象フレーム選択部４０２が音声フレームを特定パターン３１９の置換対象のフレームとしないのは、特定パターン３１９がノイズ原因になることを防ぐためである。一方、非音声フレームは一般的に背景ノイズのデータである。そのため非音声フレームの一部を変化しても、音声品質の劣化として知覚されにくい。【００３８】
特定パターン置換部４０３は、対象フレーム選択部４０２が選択した非音声フレームの一部を特定パターン３１９に置換する。本実施例において、特定パターン置換部４０３は、非音声フレームの７ビット目を特定パターン３１９に置換する（図３参照）。非音声フレームの７ビット目というのは、図３に示す非音声フレームのＧ．７１１符号（データ３１０〜３１８）のＭＳＢ（Ｍｏｓｔ  
Ｓｉｇｎｉｆｉｃａｎｔ  Ｂｉｔ）から７番目の行にあたる符号系列の意味である。つまり図３のコード３１９は、時系列にデータ３１０〜３１８が順に並んでいる。そして特定パターン置換部４０３は非音声信号２０２の振幅の小さい部分に相当する第７行を特定パターン３１９に置換する。【００３９】
また音声分析部４０１は、非音声フレームと判別したフレームにおける振幅分析を行い、背景ノイズレベル３２０を決定する。振幅分析とは音声分析部４０１が所定の時間長で非音声フレームの振幅値を平均化し、その平均値を背景ノイズレベルとする処理のことである。検出用パターン格納部４０４は特定パターン３１９を格納している。特定パターン置換部４０３は検出用パターン格納部４０４から特定パターン３１９を読み出す。そして特定パターン置換部４０３は、背景ノイズレベル３２０を参照して非音声フレームの一部を特定パターン３１９に置換する。つまり特定パターン置換部４０３は非音声フレームの第７行を特定パターン３１９（「０１０１１０・・・０１１」）に置換する。特定パターン３１９の置換位置は、背景レベル以下とするため、特定パターン置換部４０３は背景レベル３２０を参照する。また特定パターン置換部４０３は、人間が知覚できる音量以下の非音声フレームには特定パターン３１９の置換処理を行わない。【００４０】
［パターン置換部１０１の処理手順］
図６は本実施例に係るパターン置換部１０１が行う処理のフローチャートである。またパターン置換部１０１の構成は図４に示している。以下図４に示すパターン置換部１０１の構成を参照しながら、図６に示す処理フローチャートを説明する。【００４１】
音声分析部４０１は、図３のコード３００を１フレーム（１６０サンプル）ごとに取り込む（ステップＳ６０１）。【００４２】
音声分析部４０１は、取り込んだコード３００の音声特徴量から、コード３００を音声分析処理する（ステップＳ６０２）。【００４３】
音声分析部４０１は、音声分析処理の結果から取り込んだフレームが音声フレームであるか非音声フレームであるかの判別を順次行う（ステップＳ６０３）。音声分析部４０１は、一定時間内において、コード３００を構成するデータの振幅レベルが所定値以上で、かつ零交差数が所定数以下になったフレームを音声フレームと判別し、それ以外のフレームを非音声フレームと判別する。【００４４】
音声分析部４０１が取り込んだフレームが非音声フレームであると判別した場合（ステップＳ６０３  ＹＥＳ）、特定パターン置換部４０３は非音声フレームにおける特定パターン３１９と置換する位置（特定パターン置換位置）を決定する（ステップＳ６０４）。特定パターン置換部４０３は、背景ノイズレベル３２０を参照して、該特定パターン置換位置を決定する。ここで音声分析部４０１が背景ノイズレベル３２０を決定する。特定パターン置換部４０３は背景ノイズレベル以下のレベル範囲にある符号パターンを特定パターンに置換する対象とする。符号パターンとは、複数のサンプルで形成するフレームにおいて、同じ振幅レベルを示す各サンプルのビットの組み合わせである。換言すれば、符号パターンは、複数のサンプルで形成するフレームにおける同じビット重みを持つ符号の系列である。置換対象の符号パターン部分は、背景ノイズレベル以下のレベル範囲の符号を組み合わせて形成するものであり、振幅レベルを基準にして形成することは一実施例である。【００４５】
音声分析部４０１が非音声フレームの振幅値を所定時間長で平均値算出して、その平均値を背景ノイズレベルとする。また音声分析部４０１は過去の非音声フレームの振幅値の平均値を算出して、その平均値を背景ノイズレベルとする構成でもよい。過去の非音声フレームとは、特定パターン３１９を置換処理する非音声フレームよりも時系列で前に存在する非音声フレームを意味する。さらに換言すれば、過去の非音声フレームとは、音声分析部４０１が受信する非音声フレームであって、一部を特定パターン３１９に置換する非音声フレームよりも前に音声分析部４０１が受信した非音声フレームのことである。また特定パターン置換部４０３が特定パターン３１９と置換する非音声フレームの位置（特定パターン置換位置）は、背景ノイズレベル以下に属するコードの位置である。特定パターン置換部４０３は、対象フレーム選択部４０２が選択した非音声フレームの一部であって、背景ノイズレベル以下のレベル範囲の符号パターンを特定パターン３１９に置換する。（ステップＳ６０５）。【００４６】
また音声分析部４０１が取り込んだフレームが非音声フレームでないと判別した場合（ステップＳ６０３  ＮＯ）、パターン置換部１０１は置換処理を終了する。
［パターン検査部１０２、１０３の構成］
図５は本実施例に係るパターン検査部１０２の構成図である。パターン検査部１０２は音声分析部５０１、対象フレーム選択部５０２、パターン検出部５０３、検出用パターン格納部５０４より構成されている。以下、図５を用いて、パターン検査部１０２の動作を詳細に説明する。なおパターン検査部１０３もパターン検査部１０２と同様の構成であり、同様の動作処理を行う。【００４７】
音声分析部５０１は、図３に示すコード３００を２０ｍｓｅｃ、１６０サンプルのフレーム単位で図１に示すＧＷ１０８より取り込む。そして音声分析部５０２は、取り込んだフレームが音声フレームであるか非音声フレームであるかの判別を順次行う。具体的には音声分析部５０２は、コード３００の音声特徴量を分析し、フレームごとに音声フレーム、非音声フレームを分類する。音声分析部５０２も音声フレームの区間の先頭や末尾において音声の立ち上がりや立ち下がりに相当する振幅の小さい部分が切れてしまうことを防ぐため、音声フレーム区間の開始時点をより前に、音声フレーム区間の終了時点をより後ろに、それぞれマージンを持たせて音声フレーム、非音声フレームを判別する。【００４８】
対象フレーム選択部５０２は、音声分析部５０１で判別した非音声フレームを特定パターン３１９の検出対象として選択する。つまりパターン検出部５０３が検査する対象は非音声フレームである。パターン検出部５０３は音声フレームの検査は行わない。【００４９】
パターン検出部５０３は、対象フレーム選択部５０２が選択した非音声フレームに特定パターン３００が存在するか否かの判別を行う。検出用パターン格納部５０４は、パターン検出部５０３が検出するべき特定パターンを格納している。パターン検出部５０３は検出用パターン格納部５０４に格納された特定パターンを読み出し、参照しながら非音声フレームに特定パターンが存在するか否かを判別する。ここで音声分析部５０１は、非音声フレームを振幅値分析し、背景ノイズレベルを決定する。パターン検出部５０３は、非音声フレームにおいて背景ノイズレベルを参照して特定パターンの有無を判別する。つまりパターン検出部５０３は、背景ノイズレベル以下のレベル範囲に特定パターンが存在するか否かを判別する。これによりパターン検出部５０３は背景ノイズレベルより大きいレベル範囲に特定パターンが含まるか否か検索しないため、特定パターン検出の効率をさらに上げることができる。【００５０】
パターン検出部５０３は、検査した非音声フレームに特定パターンが存在するか否かを示すパターン置換有無情報を検知判定部１０４に出力する。【００５１】
［パターン検査部１０２の処理手順］
図７は本実施例に係るパターン検査部１０２が行う処理のフローチャートである。パターン検査部１０２は非音声フレームにおける特定パターン３１９の検出を行う。なおパターン検査部１０３もパターン検査部１０２と同様の処理を行う。またパターン検査部１０２の構成は図５に示している。以下図５に示すパターン検査部１０２の構成を参照しながら、図７に示す処理フローチャートを説明する。【００５２】
音声分析部５０１は、コード３００を２０ｍｓｅｃ、１６０サンプルのフレーム単位でＧＷ１０８より取り込む（ステップＳ７０１）。【００５３】
音声分析部５０１は、取り込んだコード３００の音声特徴量から、コード３００を音声分析処理する（ステップＳ７０２）。【００５４】
音声分析部５０１は、音声分析処理の結果から取り込んだフレームが音声フレームであるか非音声フレームであるかの判別を順次行う（ステップＳ７０３）。【００５５】
音声分析部５０１が、取り込んだフレームが非音声フレームであると判別した場合（ステップＳ７０３  ＹＥＳ）、対象フレーム選択部５０２は特定パターンの検査対象として非音声フレームを選択する。そしてパターン検出部５０３は音声分析部５０１から背景ノイズレベルを取得し、その背景ノイズレベルを参照して、非音声フレームにおける特定パターンを検査するレベル範囲を決定する（ステップＳ７０４）。ここで特定パターンを検査するレベル範囲とは、具体的には非音声フレームの中でレベルが背景ノイズレベル以下の符号パターンの部分を意味する。レベルとは、アナログ信号をＧ．７１１により１サンプルを８ビットのデータを符号化したときの振幅値のことである。８ビットデータの下位の桁ほど振幅値の小さい部分を示し、上位桁になるに従い振幅値の大きい部分を示す。【００５６】
パターン検出部５０３は、対象フレーム選択部５０２が選択した非音声フレームにおいて背景ノイズレベル以下のレベル範囲に特定パターン３００が存在するか否かの判別を行う（ステップＳ７０５）。ここで検出用パターン格納部５０４は、パターン検出部５０３が検出するべき特定パターンを格納している。パターン検出部５０３は検出用パターン格納部５０４に格納された特定パターンを読み出し、この特定パターンを参照しながら非音声フレームにおいて背景ノイズレベル以下のレベル範囲に特定パターンが存在するか否かを判別する。【００５７】
パターン検出部５０３は、非音声フレームに特定パターンが存在すると判別した場合（ステップＳ７０５  ＹＥＳ）、パターン検出部５０３は特定パターンが非音声フレーム内に存在することを示すパターン置換有情報を検知判定部１０４に送信する。以上のことは、パターン置換部１０１が非音声フレームの一部と置換した特定パターンが変化せず、品質管理対象領域１１５を流れたこと意味し、コード３００の音質が劣化しなかったことを示す。【００５８】
パターン検出部５０３は、非音声フレームに特定パターンが存在しないと判別した場合（ステップＳ７０５  ＮＯ）、パターン検出部５０３は特定パターンが有音フレーム内に存在しないことを示すパターン置換無情報を検知判定部１０４に送信する。以上のことは、パターン置換部１０１が非音声フレームの一部と置換した特定パターンが変化し、品質管理対象領域１１５を流れこと意味し、コード３００の音質劣化などの変化が起こったことを示す。【００５９】
パターン検出部５０３は、検査した非音声フレームに特定パターンが存在するか否かを示すパターン置換有／無情報（パターン置換有情報とパターン置換無情報を指す）を検知判定部１０４に出力する。【００６０】
またステップ７０３において、音声分析部５０１が、取り込んだフレームが音声フレームであると判別した場合（ステップＳ７０３  ＮＯ）、パターン検査部１０１は特定パターン３１９の置換処理は行わない。【００６１】
［パターン置換部８００の構成］
図８は本実施例に係るパターン置換部８００の構成図である。パターン置換部８００は、非音声フレームと判定された一連の置換対象フレームに対し、所定の規則に従って、それぞれの非音声フレームの特定パターンと置換する位置を変える。本実施例ではパターン置換部８００は、一連の非音声フレームに対し、振幅レベルが周期的に異なる位置を特定パターン置換位置とする。【００６２】
パターン置換部８００は音声分析部８０１、対象フレーム選択部８０２、特定パターン置換部８０３、検出用パターン格納部８０４から構成されている。そして特定パターン置換部８０３はパターン位置決定部８０５を備えている。パターン位置決定部８０５は、一連の非音声フレームの特定パターン置換位置を所定の規則に従って決定する機能を有している。【００６３】
音声分析部８０１は、コード３００を２０ｍｓｅｃ、１６０サンプルのフレーム単位で取り込む。音声分析部８０１がフレームを取り込む場所は図１に記載のＣＥ１０７（ＣＥ：コアエッジ）などである。もちろんコアエッジ以外のネットワーク機器であっても構わない。【００６４】
そして音声分析部８０１は取り込んだコードの音声特徴量を分析する。音声特徴量は、コードにおける音声フレーム、非音声フレームを特定する情報である。具体的には音声特徴量は零交差数と振幅レベルである。零交差数は一定時間内で音声波形がゼロレベルと交差する回数である。振幅レベルは各データ３１０〜３１８における一定時間内の振幅平均値のことである。音声分析部８０１は、一定時間内において、データの振幅レベルが所定値以上で、一定時間内における零交差数が所定数以下になったフレームを音声フレームと判別する。また音声分析部８０１は、データの音声特徴量である振幅レベル、零交差数から背景ノイズを判別する。
音声分析部８０１は、音声フレームの区間の先頭や末尾において音声の立ち上がりや立ち下がりに相当する振幅の小さい部分が切れてしまうことを防ぐため、音声フレーム区間の開始時点をより前に、音声フレーム区間の終了時点をより後ろに，それぞれマージンを持たせて音声フレーム、非音声フレームを判別する。【００６５】
音声分析部８０１は、音声特徴量の分析から取り込んだフレームが音声フレームであるか非音声フレームであるかの判別を順次行う。音声特徴量は、コード３００における音声フレーム、非音声フレームを特定する情報である。具体的には音声特徴量は零交差数と振幅レベルである。零交差数は零交差波の音声波形がゼロレベルと交差する回数である。零交差波の音声波形とは振幅成分を持たない信号波形である。振幅レベルは各データ３１０〜３１８における振幅値のことである。音声分析部４０１は、一定時間内において、データの振幅レベルが所定値以上で、かつ零交差数が所定数以上になったときから一定時間内における零交差数が所定数以下になったときまでのフレームを音声フレームと判別する。音声分析部４０１は、音声フレームの区間の先頭や末尾において音声の立ち上がりや立ち下がりに相当する振幅の小さい部分が切れてしまうことを防ぐため、音声フレーム区間の開始時点をより前に、音声フレーム区間の終了時点をより後ろに，それぞれマージンを持たせて音声フレーム、非音声フレームを判別する。【００６６】
対象フレーム選択部８０２は、音声分析部８０１が検出した非音声フレームを特定パターン３１９の置換対象のフレームとして選択する。音声フレームを特定パターン３１９の置換対象のフレームとしない理由は、特定パターンがノイズ原因になることを防ぐためである。非音声フレームは一般的に背景ノイズのデータである。そのため非音声フレームの一部を変化しても、新たに音声品質劣化として知覚されにくい。【００６７】
＜パターン位置決定部８０５＞
特定パターン置換部８０３は、対象フレーム選択部８０２が選択した非音声フレームの一部を特定パターン３１９に置換する。パターン位置決定部８０５が特定パターンに置換する非音声フレームの位置を決定する。つまりパターン位置決定部８０５は、所定の規則をもって、複数の非音声フレームにおける特定パターンの置換位置を決定する。ここでいう所定の規則は、例えば特定パターン置換位置の振幅レベルが置換対象の一連の非音声フレームにおいて周期的に異なることものである。つまりそれぞれの非音声フレームの特定パターン置換位置は周期的な相関を有している。【００６８】
ここでパターン位置決定部８０５が複数の非音声フレームにおける特定パターンの置換位置を決定する処理について説明する。パターン位置決定部８０５が処理する機能は、パターン置換部１０１と比してパターン置換部８００が有する新たな機能である。パターン位置決定部８０５は背景ノイズレベルを音声分析部８０１より取得する。ここで音声分析部８０１は非音声フレームと判別したフレームにおける振幅分析を行い、背景ノイズレベル３２０を決定する。振幅分析とは音声分析部８０１が非音声フレームの振幅値を所定の時間長で平均化し、その平均値を背景ノイズレベルとする処理である。パターン位置決定部８０５は、背景ノイズレベル以下のレベル範囲にある符号パターンを特定パターンに置換する対象とする。符号パターンとは、複数のサンプルで形成するフレームにおいて、同じ振幅レベルを示す各サンプルのビットの組み合わせである。置換対象となる符号パターン部分は、背景ノイズレベル以下のレベル範囲の符号を組み合わせて形成するものであり、振幅レベルを基準にして形成することは一実施例である。例えば図３に記載コード３００を例にすれば、パターン位置決定部８０５は、特定パターン３１９「０１０１１０・・・０１１」の置換位置を決定する。本実施例において、特定パターン３１９の置換位置は、背景ノイズレベル以下のレベル範囲であって、該レベル範囲の平均値に最も近いレベルの符号パターン位置である。【００６９】
そしてパターン位置決定部８０５は、特定パターン置換部８０３が時系列に取得する複数の非音声フレームに対して、所定の規則をもって、特定パターンに置換する位置（特定パターン置換位置）を決定する。つまりパターン位置決定部８０５は、過去の非音声フレームの特定パターン置換位置を参照しながら、非音声フレームの特定パターン置換位置を決定する。【００７０】
検出用パターン格納部８０４は特定パターンを格納している。特定パターン置換部８０３は検出用パターン格納部８０４から特定パターンを読み出す。そして特定パターン置換部８０３は、パターン位置決定部８０５が決定した符号パターンの位置を特定パターンに置換する。また特定パターン置換部８０３は、人間が知覚できる音量以下の無音フレームへは特定パターンの置換処理は行わない。無音フレームとは、フレームデータがオール０もしくはこれに準ずる所定の閾値以下の有音を示すビットしか含まれていないフレームである。【００７１】
［パターン検査部９００の構成］
図９は本実施例に係るパターン検査部９００の構成図である。【００７２】
パターン検査部９００は、混入するノイズのレベルを検出することができる。パターン検査部９００は、パターン置換部８００が置換した特定パターンの検出を行う。そしてパターン検査部９００は順次検査する非音声フレームにおける各特定パターンの検出位置から、混入するノイズレベルの振幅情報を算出することができる。【００７３】
パターン検査部９００は、音声分析部９０１、対象フレーム選択部９０２、パターン検出部９０３、検出用パターン格納部９０４より構成されている。パターン検出部９０３は、レベル推定部９０５を備えている。レベル推定部９０５は、時系列に取得する複数の非音声フレームの特定パターンの検出有無の情報からネットワークに混入するノイズの振幅情報を推定する。【００７４】
音声部分析部９０１は、コード３００を２０ｍｓｅｃ、１６０サンプルのフレーム単位で取り込む。そして音声分析部９０２は、取り込んだフレームが音声フレームであるか非音声フレームであるかの判別を順次行う。【００７５】
対象フレーム選択部９０２は、音声分析部９０１で判別した非音声フレームを特定パターンの検出対象として選択する。【００７６】
音声分析部５０１は、非音声フレームの振幅値分析し、背景ノイズレベルを決定する。【００７７】
パターン検出部９０３は音声分析部９０１から背景ノイズレベルを取得し、その背景ノイズレベルを参照して、非音声フレームにおける特定パターンを検査するレベル範囲を決定する。また検出用パターン格納部９０４は、パターン検出部９０３が検出するべき特定パターンを格納している。【００７８】
これよりパターン検出部９０３は、検出用パターン格納部９０４に格納された特定パターンを読み出し、背景ノイズレベル、読み出した特定パターンを参照しながら非音声フレームに特定パターンが存在するか否かを判別する。【００７９】
＜レベル推定部９０５＞
そしてレベル推定部９０５は、順次取得する非音声フレームにおける特定パターン検出位置の規則性を判別して、ネットワークシステムに混入するノイズの振幅情報を推定する。パターン置換部８００のパターン位置決定部８０５は、特定パターン置換部８０３が一連の非音声フレームに対して、所定の規則をもって、特定パターンに置換する位置を決定する。そのためレベル推定部９０５は、時系列で取得する複数の非音声フレームにおける特定パターンの検出位置がこの所定の規則に従っているかを判別する。そしてさらにレベル推定部９０５は、特定パターン検出位置がこの所定の規則に従っていないと判別した場合には、所定の規則に従っていない特定パターン検出位置から混入するノイズの振幅情報を推定する。【００８０】
例えばパターン位置決定部８０５が、一連の非音声フレームに対して、周期的に振幅レベルが異なる特定パターン置換位置を決定する。レベル推定部９０５が一連非音声フレームにおける特定パターン検出位置の振幅レベルが所定の規則に則っていないと判別した場合、レベル推定部９０５は振幅レベルの周期性の乱れ具合、つまり検出されるべきであった特定パターンの振幅レベル（ノイズが原因でパターン検出部９０３が検出しなかった特定パターンの振幅レベル）の平均値から、混入ノイズの振幅情報を推定する。【００８１】
パターン検出部９０３が非音声フレームに特定パターンが存在すると判別した場合、パターン検出部９０３は特定パターンが対象の非音声フレーム内に存在することを示すパターン置換有情報を検知判定部に送信する。パターン検出部９０３が非音声フレームに特定パターンが存在しないと判別した場合、パターン検出部５０３は特定パターンが対象の非音声フレーム内に存在しないことを示すパターン置換無情報を検知判定部に送信する。またパターン検出９０３はレベル推定部９０５が算出した混入ノイズの振幅推定情報も検知判定部に送信する。混入ノイズがなければ、混入ノイズの振幅情報は「無」を示し、例えば「０」である。【００８２】
図１０は本実施例に係るパターン検査部９００が行う処理のフローチャートである。【００８３】
音声分析部９０１は、コード３００を２０ｍｓｅｃ、１６０サンプルのフレーム単位で取り込み、フレームの切り出しを行う（ステップＳ１００１）。音声分析部９０１は、取り込んだフレームの音声特徴量を分析する（ステップＳ１００２）。【００８４】
音声分析部９０１は、音声特徴量の分析から取り込んだフレームが音声フレームであるか非音声フレームであるかの判別を順次行う（ステップＳ１００３）。【００８５】
音声分析部９０１が、取り込んだフレームが非音声フレームであると判別した場合（ステップＳ１００３  ＹＥＳ）、対象フレーム選択部１００２は特定パターンの検査対象として非音声フレームを選択する。そしてパターン検出部９０３は音声分析部９０１から背景ノイズレベルを取得し、その背景ノイズレベルを参照して、非音声フレームにおける特定パターンを検査するレベル範囲を決定する（ステップＳ１００４）。特定パターンを検査するレベル範囲は、非音声フレームの中でレベルが背景ノイズレベルを参照して所定の規則で決定された符号パターンの部分である。符号パターンは背景ノイズレベル以下のレベル範囲の符号を組み合わせたデータである。例えば音声符号列は、複数のサンプルで形成するフレームにおいて、同じ振幅レベルを示す各サンプルのビットにより形成するデータである。【００８６】
検出用パターン格納部９０４は、パターン検出部９０３が検出するべき特定パターンを格納している。パターン検出部９０３は、検出用パターン格納部９０４から特定パターンを読み出し、この特定パターンを参照しながら、非音声フレームにおいて背景ノイズレベル以下のレベル範囲に特定パターンが存在するか否かの判別を行う（ステップＳ１００５）。【００８７】
パターン検出部９０３は、非音声フレームに特定パターンが存在すると判別した場合（ステップＳ１００５  ＹＥＳ）、パターン検出部９０３は特定パターンが非音声フレーム内に存在することを示すパターン置換有情報を検知判定部に送信する。【００８８】
パターン検出部９０３は、非音声フレームに特定パターンが存在しないと判別した場合（ステップＳ１００５  ＮＯ）、レベル推定部９０５は混入するノイズの振幅情報（ノイズレベル）を算出する（ステップＳ１００６）。レベル推定部９０５は、順次取得する非音声フレームにおける特定パターン検出位置の規則性を判別して、ネットワークシステムに混入するノイズの振幅情報（ノイズレベル）を推定する。換言すればレベル推定部９０５は、一連の非音声フレームにおける特定パターンの検出位置がこの所定の規則に従っているかを判別する。レベル推定部９０５は、特定パターン検出位置がこの所定の規則に従っていないと判別した場合には、所定の規則に従っていない特定パターン検出位置から混入するノイズの振幅情報（ノイズレベル）を推定する。パターン検出部８０３は特定パターンが有音フレーム内に存在しないことを示すパターン置換無情報、及び混入するノイズの振幅情報を検知判定部に送信する。【００８９】
また音声分析部９０１が、取り込んだフレームが音声フレームであると判別した場合（ステップＳ１００３  ＮＯ）、パターン検査部８００は特定パターン３２０の検査処理は行わない。【００９０】
パターン置換部８００がネットワークシステムを流れる非音声フレームに特定パターンの置換処理を行い、パターン検査部９００がその特定パターンの検出処理を行うことによって、ネットワークシステムに混入するノイズを検出でき、さらにそのノイズの振幅レベル特定することができる。【００９１】
本実施例におけるネットワークシステムは、ネットワーク内の品質管理対象領域１１５で混入するノイズによる音質劣化を検出することができる。さらに本実施例におけるネットワークシステムは、ネットワーク内の品質管理対象領域１１５でデータの圧縮フォーマットを変換する符号変換による音質劣化も検出することができる。また本実施例に係る検査方法では、パターン置換部８００が非音声フレームの一部を特定パターンに置換する。そのためネットワークシステムを流れるデータ量は増えない。したがって本実施例における検査方法では、音質劣化の検査を行うことによるネットワークのトラフィックの増加を除去することができる。つまり本実施例における検査方法はネットワークのトラフィックの増加やそれによる輻輳などの悪影響を起こすことなく音質劣化を検査することができる
また検査システムは、パターン置換部１０１、パターン検査部１０２、１０３、検知判定部１０４を含む構成となっている。検査システムは、パターン置換部１０１の替わりにパターン置換部８００、パターン検査部１０２、１０３の替わりにパターン検査部９００を含む構成でも構わない。またデジタル信号はアナログの音声信号を符号化した信号に対応するものである。また特定信号は特定パターンを構成する符号に対応するものである。
【産業上の利用可能性】
【００９２】
本発明による検査方法は、パケット交換網における音質劣化の検査するものである。したがって本発明による検査方法は、ネットワークに混入する音質劣化要因を、通話に影響を与えずにネットワーク運用中であっても検出することを実現するうえで極めて有用である。
【図１】
2009022407.tif 000003
【図２】
2009022407.tif 000004
【図３】
2009022407.tif 000005
【図４】
2009022407.tif 000006
【図５】
2009022407.tif 000007
【図６】
2009022407.tif 000008
【図７】
2009022407.tif 000009
【図８】
2009022407.tif 000010
【図９】
2009022407.tif 000011
【図１０】
2009022407.tif 000012
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
音声信号と非音声信号を含むデジタル信号をネットワークを介して伝送する音声通信システムの通話品質を検査する検査装置の検査方法において、
該デジタル信号の特徴量に基づき、該音声信号か該非音声信号かを判別する第１の分析手順と、
判別した該非音声信号の一部であって、該非音声信号の所定の振幅レベル以下の一部を特定信号に置換する置換手順と、
該ネットワークを介して受信したデジタル信号の特徴量に基づき、該音声信号か該非音声信号かを判別する第２の分析手順と、
該第２の分析手順で判別した非音声信号の所定の振幅レベル以下の一部が該特定信号であるか否かを判別する検査手順と、
からなることを特徴とする検査方法。
【請求項２】
請求項１に記載の検査方法において、
該分析手順は、時系列順に取得する該デジタル信号を一定のフレーム単位ごとに取得し、該フレームが音声フレームか非音声フレームであるかを判別することを特徴とする検査方法。
【請求項３】
請求項２に記載の検査方法において、
該置換手順は、該非音声フレームの一部を該特定信号の組み合わせからなる特定パターンに置換することを特徴とする検査方法。
【請求項４】
請求項３に記載の検査方法において、
該検査手順は該特定パターンを検出し、該検査手順における該特定パターンの検出結果に基づいて、該デジタル信号で構成される音声信号の劣化を特定する検知手順をさらに有することを特徴とする検査方法。
【請求項５】
請求項４に記載の検査方法において、
該第１の分析手順、及び該第２の分析手順は、該非音声フレームにおける背景雑音の振幅レベルを算出することを特徴とする検査方法。
【請求項６】
請求項５に記載の検査方法において、
該置換手順は、該背景雑音の振幅レベルを参照して、該非音声フレームの一部を該特定パターンに置換することを特徴とする検査方法。
【請求項７】
請求項６に記載の検査方法において、
該置換手順は、該非音声フレームにおける該背景雑音の振幅レベル以下の範囲に属する一部を該特定パターンに置換することを特徴とする検査方法。
【請求項８】
音声信号と非音声信号を含むデジタル信号をネットワークを介して送受信する音声通信システムの通話品質を検査する検査装置の検査方法において、
該デジタル信号の特徴量に基づき、非音声信号を判別する分析手順と、
該非音声信号の所定の振幅レベル以下の一部が特定信号であるか否かを判別する検査手順と、
からなることを特徴とする検査方法。
【請求項９】
音声信号と非音声信号を含むデジタル信号をネットワークを介して送受信する音声通信システムの通話品質を検査する検査装置の検査方法において、
該デジタル信号の特徴量に基づき、非音声信号を判別する分析手順と、
該非音声信号の一部であって、該非音声信号の所定の振幅レベル以下の一部を特定信号に置換する置換手順と、
一部を該特定信号に置換した非音声信号を送信する送信手順と、
からなることを特徴とする検査方法。
【国際調査報告】
2009022407.tif 000013
2009022407.tif 000014
2009022407.tif 000015